(57)【要約】【課題】精度のよいフィードバック制御を可能にするコード半田ごて、コードレス半田ごてを有する半田ごてセット及び半田ごてシステムを提供することを目的とする。【解決手段】本出願は、半田を溶融するコードレス半田ごてを開示する。コードレス半田ごては、前記半田を溶融するこて先を加熱する加熱部を有するこて部と、電力を前記こて部へ供給する給電部と、を備える。前記給電部は、電力を蓄える蓄電部を含む。前記こて部は、前記こて先の温度に対するフィードバック制御に用いられる目標温度を表す目標通知信号を受信する受信部と、前記受信部が受信した前記目標通知信号に基づき前記こて先の前記温度をフィードバック制御する加熱制御部と、を含む。【選択図】図１
2019063866.tif 000002
【特許請求の範囲】
【請求項１】
半田を溶融するコードレス半田ごてであって、
前記半田を溶融するこて先を加熱するように形成された加熱部を有するこて部と、
電力を前記こて部へ供給する給電部と、を備え、
前記給電部は、電力を蓄えるするように形成された蓄電部を含み、
前記こて部は、前記こて先の温度に対するフィードバック制御に用いられる目標温度を表す目標通知信号を受信するように形成された受信部と、前記受信部が受信した前記目標通知信号に基づき前記こて先の前記温度をフィードバック制御するように形成された加熱制御部と、を含む
コードレス半田ごて。
【請求項２】
前記受信部は、前記目標通知信号を無線式に受信する
請求項１に記載のコードレス半田ごて。
【請求項３】
前記受信部は、ＲＦＩＤタグである
請求項２に記載のコードレス半田ごて。
【請求項４】
前記給電部は、電力が入力されるように形成された電力入力部と、前記蓄電部から前記こて部への電力供給経路を形成している第１給電ラインと、前記蓄電部を経由することなく前記電力入力部から前記こて部への電力供給経路を形成している第２給電ラインと、を含み、
前記こて部又は前記給電部は、前記第１給電ライン及び前記第２給電ラインのうち一方を、前記こて部への前記電力供給経路として選択するように形成された選択部を含む
請求項１乃至３のいずれか１項に記載のコードレス半田ごて。
【請求項５】
請求項４に記載のコードレス半田ごてと、
前記コードレス半田ごてを支持するように形成された支持台と、を備え、
前記支持台は、電力を前記給電部に出力するように形成された出力接点部を含み、
前記電力入力部は、前記こて先の突出方向に向いた主入力部と、前記主入力部とは異なる位置に配置された副入力部と、を含み、
前記出力接点部は、前記こて先が前記支持台に向くように支持された前記コードレス半田ごての前記主入力部に接触し、
前記副入力部は、電力を伝達する電力ケーブルに連結可能である
半田ごてセット。
【請求項６】
前記副入力部は、前記主入力部とは反対方向を向く位置に配置されている
請求項５に記載の半田ごてセット。
【請求項７】
前記支持台は、前記こて先が収容される凹空間を形成する凹壁を有するスタンドを含む
請求項５又は６に記載の半田ごてセット。
【請求項８】
前記給電部は、前記電力入力部から前記蓄電部への電力供給経路を形成している充電ラインを含み、
前記電力入力部は電力が入力され且つ前記充電ラインの始点を形成している充電接点と、前記第２給電ラインの始点を形成している給電接点とを含み、
電力は、前記充電接点及び前記給電接点に同時に入力され、
前記充電接点に入力された電力が前記充電ラインを通じて前記蓄電部に供給されている間、前記選択部は前記給電部から前記こて部への前記電力供給経路として前記第２給電ラインを選択し、前記給電接点に入力された電力は前記第２給電ラインを通じて前記こて部へ供給される
請求項５乃至７のいずれか１項に記載の半田ごてセット。
【請求項９】
請求項１乃至４のいずれか１項に記載のコードレス半田ごてと、
前記コードレス半田ゴテから分離された制御ステーションと、を備え、
前記制御ステーションは前記目標温度の入力を受ける入力インターフェースと、前記入力インターフェースを通じて入力された前記目標温度を表す前記目標通知信号を前記受信部へ送信するように形成された送信部とを含む
半田ごてシステム。
【請求項１０】
前記コードレス半田ごてを支持するように形成されているとともに前記給電部へ電力を伝達可能に形成された支持台と、
前記支持台及び前記制御ステーションを一体的に保持するように形成された保持部材と、
前記制御ステーションから前記支持台へ電力を中継するように前記制御ステーション及び前記支持台に電気的に接続可能に形成された中継ケーブルと、を更に備え、
前記制御ステーションは電力を出力するように形成され、
前記保持部材は前記中継ケーブルを保持するように形成されている
請求項９に記載の半田ごてシステム。
【請求項１１】
前記中継ケーブルは前記制御ステーション及び前記支持台に電気的に接続可能に形成された一対のコネクタと、前記一対のコネクタ間で延設されたのケーブル線とを含み、
前記一対のコネクタは前記支持台から露出し、
前記ケーブル線は前記保持部材内で延設されている
請求項１０に記載の半田ごてシステム。
【請求項１２】
前記保持部材には前記制御ステーション及び前記支持台が嵌め込まれる一対の凹部が形成され、
前記一対の凹部は形状及び大きさにおいて等しい
請求項１１に記載の半田ごてシステム。
【請求項１３】
前記一対の凹部は形状及び大きさにおいて等しく、
前記一対のコネクタは前記一対の凹部内で前記保持部材の外面上に現れているとともに、形状、大きさ及び前記一対の凹部に対する相対的な位置関係において等しい
請求項１２に記載の半田ごてシステム。
【請求項１４】
前記給電部と代替可能に形成された予備の給電部を更に備え、
前記給電部は前記こて部から分離可能に形成され、
前記保持部材は、前記予備の給電部を保持するように形成されているとともに前記保持部材によって保持された前記制御ステーションから前記保持部材によって保持された前記予備の給電部へ電力を伝達可能に形成されている
請求項１０乃至１３のいずれか１項に記載の半田ごてシステム。
【請求項１５】
請求項４に記載のコードレス半田ごてと、
前記コードレス半田ゴテから分離された制御ステーションと、
前記電力入力部に電気的に接続され、前記蓄電部を充電するように形成された充電ステーションと、を備え、
前記制御ステーションは前記目標温度の入力を受けるように形成された入力インターフェースと、前記入力インターフェースを通じて入力された前記目標温度を表す前記目標通知信号を前記受信部へ送信するように形成された送信部と、を有する
半田ごてシステム。
【請求項１６】
半田を溶融するコードレス半田ごてであって、
前記半田を溶融するこて先を加熱するように形成された加熱部を有するこて部と、
電力を前記こて部へ供給するように形成された給電部と、を備え、
前記給電部は、電力を蓄えるように形成された蓄電部と、電力が入力されるように形成された電力入力部と、前記蓄電部から前記こて部への電力供給経路を形成している第１給電ラインと、前記蓄電部を経由することなく前記電力入力部から前記こて部への電力供給経路を形成している第２給電ラインと、を含み、
前記こて部又は前記給電部は、前記第１給電ライン及び前記第２給電ラインのうち一方を前記こて部への前記電力供給経路として選択するように形成された選択部を含む
コードレス半田ごて。
【発明の詳細な説明】
【技術分野】
【０００１】
本発明は、半田を溶融することができるコードレス半田ごて、コードレス半田ごてを有する半田ごてセット及び半田ごてシステムに関する。
【背景技術】
【０００２】
半田ごては一般的に、外部電源に接続されたコードを通じて電力を受け半田を溶融する。しかしながら、半田ごてのコードは半田溶融作業に悪影響を与えることもある。たとえば隣り合って作業する２名の作業者のうち一方の半田ごてのコードが、他方の作業者の作業領域に入り込み半田溶融作業を邪魔することもある。したがって、外部電源に接続されることなく半田を溶融することができる様々なコードレス半田ごてが開発されている（特許文献１乃至６を参照）。
【先行技術文献】
【特許文献】
【０００３】
【特許文献１】実開平４−４７８６６号公報
【特許文献２】国際公開第２００５／０８４８６５号
【特許文献３】特開２００６−１９２５０５号公報
【特許文献４】特開２００６−２６７４４号公報
【特許文献５】特開２００７−３０７５９４号公報
【特許文献６】実開平２−８１７６１号公報
【発明の概要】
【発明が解決しようとする課題】
【０００４】
コードレス半田ごては半田溶融作業の間外部電源からの電力の供給を受けないので、バッテリがコードレス半田ごてに搭載される。したがって、コードレス半田ごては外部電源からコードを通じて電力を受ける一般的な半田ごてよりも大きくなりやすく且つ重くなりやすい。大型のコードレス半田ごてはこて先を半田溶融作業を行う作業者の視野から隠すことがあるので、作業効率を低下させることもある。重いコードレス半田ごては、コードレス半田ごてを保持する作業者の疲労を促進する。これらの課題を解消するため、半田を溶融するための機能以外の機能は従来のコードレス半田ごてから排除されている。
【０００５】
従来のコードレス半田ごてから排除されている機能として、こて先の温度のフィードバック制御が挙げられる。目標温度を表す情報をコードレス半田ごてに入力することは、精度のよいフィードバック制御に必要とされる。情報を手動式に入力するための入力操作部の追加は、コードレス半田ごての大型化及び重量の増加に帰結する。したがって従来のコードレス半田ごては、目標温度を表す情報を手動式に入力するための入力操作部を有していない。従来のコードレス半田ごてに関してフィードバック制御がなされないので、こて先の温度変動は大きくなる。したがって、従来のコードレス半田ごては不適切なこて先温度の下で半田を溶融する高いリスクを有している。
【０００６】
本発明は精度のよいフィードバック制御を可能にするコード半田ごて、コードレス半田ごてを有する半田ごてセット及び半田ごてシステムを提供することを目的とする。
【課題を解決するための手段】
【０００７】
本発明の一局面に係るコードレス半田ごては、半田を溶融することができる。コードレス半田ごては前記半田を溶融するこて先を加熱するように形成された加熱部を有するこて部と、電力を前記こて部へ供給するように形成された給電部とを備える。前記給電部は、電力を蓄えるように形成された蓄電部を含む。前記こて部は、前記こて先の温度に対するフィードバック制御に用いられる目標温度を表す目標通知信号を受信するように形成された受信部と、前記受信部が受信した前記目標通知信号に基づき前記こて先の前記温度をフィードバック制御するように形成された加熱制御部とを含む。
【０００８】
上記の構成によれば作業者が目標温度を表す情報を手入力するための入力操作部をコードレス半田ゴテが有さなくとも、コードレス半田ゴテの受信部は目標温度を表す目標通知信号を受信することができる。したがってコードレス半田ごては、従来のコードレス半田ごてと同等の大きさ及び重量を有することができる。加熱制御部は受信部が受信した目標通知信号が表す目標温度を用いてこて先の温度をフィードバック制御することができるので、こて先の温度は従来のコードレス半田ごてよりも目標温度に安定的に維持される。
【０００９】
給電部は電力を蓄える蓄電部を有するので、コードレス半田ごてが外部電源に接続されていなくても、電力は蓄電部から加熱部へ供給される。したがって作業者は、蓄電部から加熱部への電力供給下でこて先を溶融し半田を溶融することができる。
【００１０】
上記の構成に関して前記受信部は、前記目標通知信号を無線式に受信してもよい。
【００１１】
上記の構成によれば受信部は目標通知信号を無線式に受信することができるので、作業者が目標通知信号をコードレス半田ごてへ伝達するための配線作業を行うことなく、受信部は目標通知信号を受信することができる。
【００１２】
上記の構成に関して、前記受信部はＲＦＩＤタグであってもよい。
【００１３】
上記の構成によれば、ＲＦＩＤタグは小さく且つ軽量であるので、コードレス半田ごては従来のコードレス半田ごてと同等の大きさ及び重量を有することができる。
【００１４】
上記の構成に関して前記給電部は電力が入力されるように形成された電力入力部と、前記蓄電部から前記こて部への電力供給経路を形成している第１給電ラインと、前記蓄電部を経由することなく前記電力入力部から前記こて部への電力供給経路を形成している第２給電ラインとを含んでもよい。前記こて部又は前記給電部は、前記第１給電ライン及び前記第２給電ラインのうち一方を前記こて部への前記電力供給経路として選択するように形成された選択部を含んでもよい。
【００１５】
上記の構成によれば選択部が第１給電ラインを選択すると、電力は第１給電ラインを通じてこて部に供給される。したがって電力入力部が外部電源から電気的に切り離された後において、蓄電部に蓄えられた電力は第１給電ラインを通じて加熱部に供給されこて先の加熱に利用される。選択部が蓄電部を経由することなく電力入力部からこて部への電力供給経路を形成する第２給電ラインを選択することができるので、第２給電ラインが充電期間において選択されると、電力が蓄電部だけでなくこて部へも供給され、こて先の温度が目標温度に維持される。加えて作業者はコードを外部電源と電力入力部とに接続し、加熱部に電力を供給することもできる。この場合蓄電部に蓄電された電力が少なくても、こて先の温度を目標温度に維持するのに充分な電力が第２給電ラインを通じて加熱部に供給される。
【００１６】
本発明の他の局面に係る半田ごてセットは上述のコードレス半田ごてと、前記コードレス半田ごてを支持するように形成された支持台とを備える。前記支持台は、電力を前記給電部に出力するように形成された出力接点部を含む。前記電力入力部は前記こて先の突出方向に向いた主入力部と、前記主入力部とは異なる位置に配置された副入力部とを含む。前記出力接点部は、前記こて先が前記支持台に向くように支持された前記コードレス半田ごての前記主入力部に接触する。前記副入力部は、電力を伝達する電力ケーブルに連結可能である。
【００１７】
上記の構成によれば電力入力部の主入力部はこて先の突出方向に向いているので、こて先が支持台に向くように支持されたコードレス半田ごての主入力部は支持台に対向し支持台の出力接点部に接触することができる。この結果外部電源からの電力は、主入力部及び出力接点部の接触部位から第１給電ラインを通じて蓄電部へ供給される。したがってコードレス半田ごてが支持台に支持されている間に、蓄電部は電力を蓄えることができる。この間電力は第２給電ラインを通じてこて部にも供給されるので、こて先の温度は目標温度に維持される。
【００１８】
作業者は、主入力部とは異なる位置に配置された副入力部と外部電源とにコードを接続することができる。蓄電部の蓄電量が少ないときも、コードレス半田ごては有線式に電力の供給を受けることができるので、作業者は蓄電部への充電を待つことなく半田を溶融することもできる。
【００１９】
上記の構成に関して、前記副入力部は前記主入力部とは反対方向を向く位置に配置されていてもよい。
【００２０】
上記の構成によれば副入力部は主入力部とは反対方向に向いているので、こて先の突出方向とも反対方向に向く。したがって副入力部と外部電源とに接続されたコードは、こて先に接触しにくくなる。すなわち作業者は副入力部と外部電源とに接続されたコードに妨げられることなく、第２供給ラインを通じた電力供給下で半田を効率的に溶融することができる。
【００２１】
上記の構成に関して、前記支持台は前記こて先が収容される凹空間を形成している凹壁を有するスタンドを含んでもよい。
【００２２】
上記の構成によれば支持台はこて先が収容される凹空間を形成する凹壁を含むので、支持台によって支持されたコードレス半田ごてのこて先は凹壁によって囲まれる。したがって凹壁は作業者が支持台によって支持されたコードレス半田ごてのこて先に接触することを防ぐことができる。すなわち、半田ごてセットは高い安全性を有する。
【００２３】
上記の構成に関して前記給電部は、前記電力入力部から前記蓄電部への電力供給経路を形成している充電ラインを含んでもよい。前記電力入力部は電力が入力され且つ前記充電ラインの始点を形成している充電接点と、前記第２給電ラインの始点を形成している給電接点とを含んでもよい。電力は、前記充電接点及び前記給電接点に同時に入力されてもよい。前記充電接点に入力された電力が前記充電ラインを通じて前記蓄電部に供給されている間、前記選択部は前記給電部から前記こて部への前記電力供給経路として前記第２給電ラインを選択し、前記給電接点に入力された電力は前記第２給電ラインを通じて前記こて部へ供給されてもよい。
【００２４】
上記の構成によれば充電ラインは電力入力部から蓄電部への電力供給経路を形成しているので、第１給電ライン及び充電ラインは蓄電部を経由して電力入力部からこて部へ電力を供給するための電力供給経路を形成することができる。電力が充電ラインの始点を形成している充電接点に入力されると、蓄電部は電力の供給を受けることができる。この間電力が第２給電ラインの始点を形成している給電接点にも入力され且つ選択部が給電部からこて部への電力供給経路として第２給電ラインを選択するので、こて部も第２給電ラインを通じて電力供給を受けることができる。したがってコードレス半田ごてが充電されている間も、こて先の温度は目標温度に維持される。加えて蓄電部に蓄えられた電力がこの間こて先の昇温に用いられないので、コードレス半田ごては効率的に充電される。
【００２５】
本発明の更に他の局面に係る半田ごてシステムは上述のコードレス半田ごてと、前記目標温度の入力を受ける入力インターフェースと、前記入力インターフェースを通じて入力された前記目標温度を表す前記目標通知信号を前記受信部へ送信するように形成された送信部とを有する制御ステーションとを備える。
【００２６】
上記の構成によれば制御ステーションは目標温度の入力を受ける入力インターフェースを有するので、作業者は入力インターフェースに目標温度を入力することができる。入力インターフェースは制御ステーションの一部でありコードレス半田ごての一部ではないので、コードレス半田ごては従来のコードレス半田ごてと同等の大きさ及び重量を有することができる。
【００２７】
入力インターフェースを通じて入力された目標温度を表す目標通知信号は制御ステーションの送信部から半田ごての受信部へ送信されるので、半田ごての加熱制御部は受信部が受信した目標通知信号が表す目標温度を用いてこて先の温度をフィードバック制御することができる。したがってこて先の温度は、従来のコードレス半田ごてよりも安定的に目標温度に維持される。
【００２８】
上記の構成に関して半田ごてシステムは前記コードレス半田ごてを支持するように形成されているとともに前記給電部へ電力を伝達可能に形成された支持台と、前記支持台及び前記制御ステーションを一体的に保持するように形成された保持部材と、前記制御ステーションから前記支持台へ電力を中継するように前記制御ステーション及び前記支持台に電気的に接続可能に形成された中継ケーブルと、を更に備えてもよい。前記制御ステーションは電力を出力するように形成されていてもよい。前記保持部材は前記中継ケーブルを保持するように形成されていてもよい。
【００２９】
上記の構成によれば、中継ケーブルは保持部材によって保持されるので整然と配線される。中継ケーブルが制御ステーション及び支持台に電気的に接続されると、電力は制御ステーションから支持台へ供給される。
【００３０】
上記の構成に関して、前記中継ケーブルは前記制御ステーション及び前記支持台に電気的に接続可能に形成された一対のコネクタと、前記一対のコネクタ間で延設されたのケーブル線とを含んでもよい。前記一対のコネクタは前記支持台から露出していてもよい。前記ケーブル線は前記保持部材内で延設されていてもよい。
【００３１】
上記の構成によれば、ケーブル線は保持部材に内蔵されているので作業者がケーブル線に接触するリスクは低くなる。ケーブル線とは異なり一対のコネクタは保持部材から露出しているので、作業者は一対のコネクタを制御ステーション及び支持台に接続し制御ステーションから支持台への電力供給経路を形成することができる。
【００３２】
上記の構成に関して、前記保持部材には前記制御ステーション及び前記支持台が嵌め込まれる一対の凹部が形成されていてもよい。前記一対の凹部は形状及び大きさにおいて等しくてもよい。
【００３３】
上記の構成によれば一対の凹部は形状及び大きさにおいて等しいので、制御ステーション及び支持台のレイアウトは変更可能である。したがって、支持台及び制御ステーションの配置レイアウトは作業者の作業しやすさを考慮して決定されてもよい。
【００３４】
上記の構成に関して、前記一対の凹部は形状及び大きさにおいて等しくてもよい。前記一対のコネクタは前記一対の凹部内で前記保持部材の外面上に現れているとともに、形状、大きさ及び前記一対の凹部に対する相対的な位置関係において等しくてもよい。
【００３５】
上記の構成によれば一対のコネクタの形状、大きさ及び一対の凹部に対する相対的な位置関係が等しいので、一対の凹部に制御ステーション及び支持台が嵌め込まれたときに得られる２つの配置レイアウトのいずれの下においても保持部材は制御ステーションと支持台とに電気的に接続される。
【００３６】
上記の構成に関して半田ごてシステムは、前記給電部と代替可能に形成された予備の給電部を更に備えてもよい。前記給電部は前記こて部から分離可能に形成されていてもよい。前記保持部材は、前記予備の給電部を保持するように形成されているとともに前記保持部材によって保持された前記制御ステーションから前記保持部材によって保持された前記予備の給電部へ電力を伝達可能に形成されていてもよい。
【００３７】
上記の構成によれば保持部材は予備の給電部を保持することができるので、支持台、制御ステーション及び予備の給電部といった半田付け作業に必要とされる物一式は保持部材によって保持される。半田付け作業に必要とされる物が分散して配置されることなく保持部材の周囲に配置されるので、作業者は保持部材の周囲で半田付け作業に必要な物を見つけ出すことができる。したがって、半田付け作業は効率的に行われる。
【００３８】
半田付け作業の間において、保持部材によって保持された予備の給電部は保持部材を通じて制御ステーションから電力を受け取ることができる。予備の給電部へ電力を充電する機能は予備の給電部を保持する保持部材によって得られるので、保持部材とは別に電力を充電するための充電ケーブルが配線される必要はない。したがって保持部材の周囲は整然とした環境に整えられる。
【００３９】
保持部材によって保持された予備の給電器に十分な電力が蓄えられる一方でこて部に取り付けられた給電部が蓄えている電力が少なくなるならば、作業者は給電部をこて部から分離し予備の給電器をこて部に取り付けることができる。その後作業者は予備の給電部を用いて、半田付け作業を継続することができる。
【００４０】
本発明の更に他の局面に係る半田ごてシステムは上述のコードレス半田ごてと、前記目標温度の入力を受けるように形成された入力インターフェースと前記入力インターフェースを通じて入力された前記目標温度を表す前記目標通知信号を前記受信部へ送信するように形成された送信部とを有する制御ステーションと、前記電力入力部に電気的に接続され前記蓄電部を充電するように形成された充電ステーションとを備える。
【００４１】
上記の構成によれば制御ステーションは目標温度の入力を受ける入力インターフェースを有するので、フィードバック制御に用いられる目標温度の設定は制御ステーションによって変更される。一方充電ステーションは入力インターフェース及び送信部を有さず且つ蓄電部を充電するので、蓄電部に電力を蓄えるために専ら利用される。したがってフィードバック制御の設定を変更する権限を有する者のみが制御ステーションを管理するならば、権限を有さない作業者は自身の判断によってはフィードバック制御の設定を変更することができない。たとえば作業者は自身の判断では、半田の溶融期間を短縮するために過度に高い温度に設定することはできない。したがって、権限を有する者が設定した適切な温度設定が維持される。作業者は充電ステーションを用いて蓄電部に電力を蓄えることができるので、一定のフィードバック制御設定の下で長期間に亘って半田溶融作業を継続することができる。
【００４２】
本発明の更に他の局面に係るコードレス半田ごては、半田を溶融することができる。コードレス半田ごては前記半田を溶融するこて先を加熱するように形成された加熱部を有するこて部と、電力を前記こて部へ供給するように形成された給電部とを備える。前記給電部は、電力を蓄えるように形成された蓄電部と、電力が入力されるように形成された電力入力部と、前記蓄電部から前記こて部への電力供給経路を形成している第１給電ラインと、前記蓄電部を経由することなく前記電力入力部から前記こて部への電力供給経路を形成している第２給電ラインとを含む。前記こて部又は前記給電部は前記第１給電ライン及び前記第２給電ラインのうち一方を、前記こて部への前記電力供給経路として選択するように形成された選択部を含む。
【００４３】
上記の構成によれば選択部が第１給電ラインを選択すると、電力は第１給電ラインを通じてこて部に供給される。したがって電力入力部が外部電源から切り離された後において、蓄電部に蓄えられた電力は第１給電ラインを通じて加熱部に供給されこて先の加熱に利用される。選択部が蓄電部を経由することなく電力入力部からこて部への電力供給経路を形成する第２給電ラインを選択することができるので、第２給電ラインが充電期間において選択されると、電力が蓄電部だけでなくこて部へも供給されこて先の温度が目標温度に維持される。加えて作業者はコードを外部電源と電力入力部とに接続し、加熱部に電力を供給することもできる。この場合蓄電部に蓄電された電力が少なくても、こて先の温度を目標温度に維持するのに充分な電力が第２給電ラインを通じて加熱部に供給される。
【発明の効果】
【００４４】
上述のコード半田ごて、コードレス半田ごてを有する半田ごてセット及び半田ごてシステムは精度のよいフィードバック制御の下で、こて先を加熱し半田を溶融することができる。
【図面の簡単な説明】
【００４５】
【図１】第１実施形態の半田ごてシステムの概略的な機能構成を表すブロック図である。
【図２】図１に示される半田ごてシステムの概略的な斜視図である。
【図３Ａ】図２に示される半田ごてシステムの支持台の概略的な斜視図である。
【図３Ｂ】図２に示される半田ごてシステムの支持台の概略的な斜視図である。
【図４Ａ】図２に示される半田ごてシステムの半田ごての概略的な斜視図である。
【図４Ｂ】図２に示される半田ごてシステムの半田ごての概略的な斜視図である。
【図５】図４Ａ及び図４Ｂに示される半田ごての給電部の概略的な底面図である。
【図６】図４Ａ及び図４Ｂに示される半田ごてのこて部の概略的な斜視図である。
【図７】半田ごてシステムの保持部材の概略的な斜視図である。
【図８】半田ごてシステムの概略的な背面図である。
【図９】半田ごてシステムの保持部材の概略的な斜視図である。
【図１０】第２実施形態の半田ごてシステムの概略的な斜視図である。
【発明を実施するための形態】
【００４６】
＜第１実施形態＞
こて先の温度に対するフィードバック制御に用いられる目標温度を表す情報がコードレス半田ごてから物理的に分離された制御ステーションから無線通信を通じてコードレス半田ごてに入力されるならば、コードレス半田ごては目標温度の手入力に用いられる入力操作部を有さなくてもよい。この場合コードレス半田ごては、従来の半田ごてと同様の大きさ及び重量を有することができ且つフィードバック制御の下でこて先の温度を目標温度に精度よく維持することができる。第１実施形態において、制御ステーションから無線式に目標温度を表す情報を受け取るコードレス半田ごてを有する半田ごてシステムが説明される。
【００４７】
図１は、第１実施形態の半田ごてシステム１００の概略的な機能構成を表すブロック図である。図１を参照して、半田ごてシステム１００が説明される。
【００４８】
半田ごてシステム１００はコードレス半田ごて（以下、「半田ごて２００」と称される）と、制御ステーション３００とを備える。半田ごて２００は、半田を溶融するために用いられる。制御ステーション３００は、半田ごて２００の温度の設定や温度設定の変更のために主に用いられる。
【００４９】
半田ごて２００は、制御ステーション３００から物理的に分離されている。半田ごて２００は制御ステーション３００と無線通信を行い、半田ごて２００内で実行されるフィードバック制御に用いられる目標温度を表す目標通知信号を制御ステーション３００から受け取ることができる。この結果半田ごて２００は、半田ごて２００の温度を目標温度に維持するための精度のよい温度制御を行うことができる。半田ごて２００と制御ステーション３００との間の無線通信は、ＮＦＣ（Ｎｅａｒ  Ｆｉｅｌｄ  Ｃｏｍｍｕｎｉｃａｔｉｏｎ）を含むＲＦＩＤであってもよい。この場合作業者は半田ごて２００を制御ステーション３００に近づけるだけで、目標温度を半田ごて２００に入力することができる。代替的に半田ごて２００と制御ステーション３００との間の無線通信は、Ｗｉ−Ｆｉ（登録商標）通信であってもよいし、Ｂｌｕｅｔｏｏｔｈ（登録商標）通信であってもよい。これらの場合、半田ごて２００と制御ステーション３００との間での双方向通信が実行される。本実施形態の原理は、半田ごて２００と制御ステーション３００との間の無線通信の特定の形式に限定されない。
【００５０】
制御ステーション３００は、入力インターフェース３１０と目標信号生成部３２０と送信部３３０と電源部３４０とを含む。作業者は入力インターフェース３１０を操作し、目標温度を入力することができる。入力インターフェース３１０は、目標温度を入力するためのボタンやダイヤルを有してもよい。加えて入力インターフェース３１０は、設定された目標温度を表示するディスプレイを有してもよい。代替的に入力インターフェース３１０は、目標温度の入力機能と目標温度の表示機能とを兼ね備えるタッチパネルであってもよい。本実施形態の原理は、入力インターフェース３１０として用いられる特定の装置に限定されない。
【００５１】
入力インターフェース３１０が受け付けた目標温度を表す目標データは、目標信号生成部３２０へ出力される。目標信号生成部３２０は、目標データに応じて電気信号を生成する。電気信号は目標信号として、目標信号生成部３２０から送信部３３０へ出力される。送信部３３０は、目標信号として出力された電気信号を無線信号に変換し目標通知信号を生成する。目標通知信号は、送信部３３０から半田ごて２００へ送信される。半田ごて２００は、目標通知信号が表す目標温度を用いて精度のよいフィードバック制御を実行する。目標信号生成部３２０又は送信部３３０は、目標データを一時的に保持する。入力インターフェース３１０が新たな目標データを受け付けると、目標信号生成部３２０又は送信部３３０によって保持された目標データが更新される。目標信号生成部３２０は信号生成機能を有するマイクロコンピュータであってもよいし、目標信号を生成するように設計された信号生成回路であってもよい。本実施形態の原理は、目標信号生成部３２０の特定の構造に限定されない。
【００５２】
電源部３４０は外部電源ＥＰＳに接続され、半田ごて２００への電力供給を担う。電源部３４０はコンバータ３４１と充電回路３４２とを含む。コンバータ３４１は、外部電源ＥＰＳから出力された交流電圧を直流電圧に変換する。充電回路３４２は、半田ごて２００への充電を制御する。半田ごて２００が充電されるとき、コンバータ３４１は外部電源ＥＰＳから供給された電力の一部を半田ごて２００に充電回路３４２を通じて供給する。加えて外部電源ＥＰＳから供給された電力の他のもう一部は、コンバータ３４１から半田ごて２００に直接的に供給される。半田ごて２００は、充電回路３４２を通じて受け取った電力を蓄えることができる。半田ごて２００は蓄えられた電力を用いて、半田を溶融する。コンバータ３４１から半田ごて２００に直接的に供給された電力は、半田ごて２００の充電の間の半田ごて２００の温度の維持に利用される。
【００５３】
半田ごて２００はこて部２１０と給電部２２０とを含む。給電部２２０は電力を、電源部３４０を通じて外部電源ＥＰＳから受け取る。半田ごて２００が充電されている間、給電部２２０は充電回路３４２を通じて受け取った電力を蓄えることができる。半田ごて２００の充電の後、給電部２２０に蓄えられた電力はこて部２１０に供給される。こて部２１０は、給電部２２０から受け取った電力を用いて半田を溶融する。半田ごて２００が充電されている間、給電部２２０は電力をコンバータ３４１から直接的に受け取ることもできる。コンバータ３４１から給電部２００に直接的に供給された電力は、半田ごて２００が充電されている間の温度維持に利用される。
【００５４】
給電部２２０は蓄電部２２１と電力入力部２２２とを含む。コンバータ３４１による変換処理を受けた電力は、電力入力部２２２に入力される。すなわち、外部電源ＥＰＳからの電力は電源部３４０を介して、電力入力部２２２に入力される。電力入力部２２２に入力された電力の一部（すなわち、充電回路３４２を通じて供給された電力）は、蓄電部２２１に供給される。この結果、蓄電部２２１は電力を蓄えることができる。半田ごて２００が充電されていないとき、蓄電部２２１内に蓄えられた電力はこて部２１０に供給される。コンバータ３４１から電力入力部２２２に直接的に入力された電力は蓄電部２２１を経由することなく、電力入力部２２２からこて部２１０に直接的に供給される。こて部２１０の温度は、電力入力部２２２から直接的に供給された電力によって所定の目標温度に維持される。コンバータ３４１を電力入力部２２２に電気的に接続するコードが必要になるけれども、蓄電部２２１が電力を全く蓄えていないとき或いは蓄電部２２１の蓄電量が非常に少ないときにも、こて部２１０は半田を溶融するのに充分な電力を受け取ることができる。蓄電部２２１は、市販の蓄電器であってもよい。本実施形態の原理は、蓄電部２２１に用いられる特定の蓄電器に限定されない。
【００５５】
電力入力部２２２は第１接点部２２３と第２接点部２２４とを含む。第１接点部２２３は、蓄電部２２１に電気的に接続されている。第１接点部２２３から蓄電部２２１へ電力を供給するための充電ライン及び蓄電部２２１からこて部２１０へ電力を供給するための第１給電ラインが給電部２２０に形成されている。蓄電部２２１を経由することなく、電力を第２接点部２２４からこて部２１０へ直接的に伝達する第２給電ラインも給電部２２０に形成されている。第１給電ライン及び第２給電ラインは、給電部２２０からこて部２１０への電力供給のために選択的に利用される。
【００５６】
こて部２１０は、こて先２１１と加熱部２１２と電力調整部２１３と選択部２１４と受信部２１５と加熱制御部２１６とを含む。選択部２１４は、第１給電ラインの電圧レベルを第２給電ラインの電圧レベルを比較する。第１給電ラインの電圧レベルが第２給電ラインの電圧レベルよりも高いならば、選択部２１４は第１給電ラインを給電部２２０からこて部２１０への電力供給経路として選択する。第１給電ラインの電圧レベルが第２給電ラインの電圧レベルよりも低いならば、選択部２１４は第２給電ラインを給電部２２０からこて部２１０への電力供給経路として選択する。作業者が半田ごて２００を制御ステーション３００から物理的に分離しているとき、第２給電ラインの電圧レベルは略ゼロである一方で第１給電ラインの電圧レベルは蓄電部２２１の蓄電量に応じた値を有する。この場合選択部２１４は第１給電ラインを、給電部２２０からこて部２１０への電力供給経路として選択する。電力入力部２２２が電源部３４０を介して外部電源ＥＰＳに電気的に接続されているとき、コンバータ３４１が生成した直流電圧は第２給電ラインに直接的に印加されるので、第２給電ラインの電圧レベルは蓄電部２２１及び充電回路３４２を経由する第１給電ラインの電圧レベルよりも高くなる。この場合選択部２１４は第２給電ラインを、給電部２２０からこて部２１０への電力供給経路として選択する。選択部２１４は、電力供給経路を切り替えるように設計された一般的なスイッチング回路であってもよい。本実施形態の原理は、選択部２１４の特定の構造に限定されない。
【００５７】
電力は第１給電ライン及び第２給電ラインの一方と選択部２１４とを通じて、電力調整部２１３へ供給される。電力調整部２１３は加熱制御部２１６によって実行されるフィードバック制御下で、加熱部２１２への電力供給を調整する。こて先２１１の温度が目標通知信号によって表される目標温度から下回っているならば、電力調整部２１３は電力を加熱部２１２へ供給する。こて先２１１の温度が目標通知信号によって表される目標温度を上回っているならば、電力調整部２１３は加熱部２１２への電力供給を停止する。電力調整部２１３は、加熱部２１２への電力供給経路を開いたり閉じたりするように設計された一般的なスイッチング回路であってもよい。本実施形態の原理は、電力調整部２１３の特定の構造に限定されない。
【００５８】
加熱部２１２は、電力調整部２１３を通じた電力供給下で発熱するヒータである。加熱部２１２は、こて先２１１の近くに配置されこて先２１１を加熱する。作業者は、半田をこて先２１１にあてがい半田を溶融することができる。一般的な半田ごてに採用されている構造が、加熱部２１２及びこて先２１１に適用可能である。本実施形態の原理は、加熱部２１２及びこて先２１１の特定の構造に限定されない。
【００５９】
加熱制御部２１６は、温度検出部２１７と制御信号生成部２１８とを含む。温度検出部２１７は、こて先２１１の温度を検出する。こて先２１１の温度を表す検出信号は、温度検出部２１７から制御信号生成部２１８へ出力される。温度検出部２１７は、熱電対であってもよいし、他の温度センサであってもよい。本実施形態の原理は、温度検出部２１７として用いられる特定の検出素子に限定されない。
【００６０】
加熱制御部２１６が実行するフィードバック制御に用いられる目標温度を表す目標通知信号は、制御ステーション３００の送信部３３０からこて部２１０の受信部２１５へ送信される。受信部２１５は、無線信号として受け取った目標通知信号を電気信号に変換する。電気信号は、受信部２１５から制御信号生成部２１８へ出力される。この結果制御信号生成部２１８はこて先２１１の温度を表す情報だけでなく、制御ステーション３００に入力された目標温度を表す情報をも取得することができる。制御信号生成部２１８は、目標温度を表す情報を一時的に保持する。次の目標通知信号が制御ステーション３００から送信されると、制御信号生成部２１８が保持する目標温度の情報は更新される。
【００６１】
目標温度からこて先２１１の温度を差し引いた差分値が所定の閾値を上回っているならば、制御信号生成部２１８は電力調整部２１３から加熱部２１２への電力供給を指示する制御信号を生成する。電力調整部２１３は制御信号に応じて、電力調整部２１３から加熱部２１２への電力供給経路を開く。この結果電力が加熱部２１２に供給され、加熱部２１２の発熱量が増大する。一方上述の差分値が閾値以下であるならば、制御信号生成部２１８は制御信号を生成しない。この場合電力調整部２１３は、電力調整部２１３から加熱部２１２への電力供給経路を閉じる。電力は加熱部２１２に供給されないので、加熱部２１２の発熱量は徐々に低下する。加熱部２１２の発熱量の増減に応じて、こて先２１１の温度も増減する。したがって加熱制御部２１６は、こて先２１１の温度を目標温度に維持するためのフィードバック制御を実行することができる。受信部２１５は、ＲＦＩＤタグであってもよい。この場合、ＲＦＩＤリーダ・ライタが送信部３３０として用いられる。作業者がこて部２１０に受信部２１５として組み込まれたＲＦＩＤタグを制御ステーション３００に送信部３３０として組み込まれたＲＦＩＤリーダ・ライタに近づけるだけで、加熱制御部２１６は目標温度を表す情報を取得することができる。送信部３３０及び受信部２１５として用いられる通信素子は、制御ステーション３００と半田ごて２００との間の通信形式に適合するように決定される。したがって本実施形態の原理は、送信部３３０及び受信部２１５として用いられる特定の通信素子に限定されない。制御信号生成部２１８は信号生成機能を有するマイクロコンピュータであってもよいし、電力供給を指示する制御信号を生成するように設計された信号生成回路であってもよい。本実施形態の原理は、制御信号生成部２１８の特定の構造に限定されない。
【００６２】
図２は、半田ごてシステム１００の概略的な斜視図である。図１及び図２を参照して、半田ごてシステム１００が更に説明される。
【００６３】
図２は半田ごて２００及び制御ステーション３００に加えて、半田ごて２００を支持するように形成された支持台４００を示す。半田ごて２００及び支持台４００は、半田ごてセット５００を形成する。
【００６４】
制御ステーション３００は、ステーション筐体３５０を含む。入力インターフェース３１０は、ステーション筐体３５０の外面に現れる。目標信号生成部３２０、送信部３３０及び電源部３４０は、ステーション筐体３５０内に配置されている。入力インターフェース３１０は、増加ボタン３５１と減少ボタン３５２と決定ボタン３５３とディスプレイ３５４とを含む。ディスプレイ３５４には、現在設定されている目標温度がデジタル表示される。作業者が増加ボタン３５１を押すと、ディスプレイ３５４に映し出される数値（すなわち、目標温度）は増加する。作業者が減少ボタン３５２を押すと、ディスプレイ３５４に映し出される数値は減少する。作業者は増加ボタン３５１及び／又は減少ボタン３５２を操作し、目標温度を所望の値に設定する。その後作業者は、決定ボタン３５３を押す。この結果、目標温度を表す目標データは入力インターフェース３１０から目標信号生成部３２０へ出力される。
【００６５】
外部電源ＥＰＳから延びる電力ケーブル（図示せず）が差し込まれる差込口（図示せず）は、ステーション筐体３５０の外面に現れている。外部電源ＥＰＳからの電力は電力ケーブルを通じて、入力インターフェース３１０、目標信号生成部３２０、送信部３３０及び電源部３４０に供給される。
【００６６】
コンバータ３４１によって直流化された電力を支持台４００に中継する中継ケーブル（図示せず）が、ステーション筐体３５０から支持台４００へ延びる。支持台４００が半田ごて２００を支持している間、半田ごて２００はコンバータ３４１及び充電回路３４２を通じて支持台４００に供給された電力によって充電される。この間半田ごて２００のこて先２１１に対する加熱は、コンバータ３４１を通じて充電回路３４２を経由することなく支持台４００に供給された電力を用いて継続される。
【００６７】
給電部２２０は、バッテリ筐体２２５と接点カバー２２６と主入力部（図示せず）と副入力部（図示せず）とを含む。蓄電部２２１は、バッテリ筐体２２５内に収容されている。第１給電ライン及び第２給電ラインは、バッテリ筐体２２５内で形成されている。主入力部及び副入力部は、電力入力部２２２としてそれぞれ利用可能である。主入力部は支持台４００に押しつけられ、支持台４００から電力を受け取るために利用される。副入力部は主入力部とは反対側に位置し、図２において接点カバー２２６によって隠されている。副入力部は、制御ステーション３００から延びる中継ケーブルとの接続に利用される。蓄電部２２１に蓄えられた電力量が不十分であり且つ半田の溶融作業が即時になされる必要があるならば、作業者は中継ケーブルを副入力部に差し込み半田溶融作業を行うことができる。副入力部は、バッテリ筐体２２５の外面に形成された凹部（図示せず）内に配置されている。接点カバー２２６は、副入力部が配置された凹部を塞ぐ閉位置と凹部を開放する開位置との間で回動するようにバッテリ筐体２２５に取り付けられている。接点カバー２２６が閉位置にあるとき、副入力部は接点カバー２２６によって保護される。作業者は接点カバー２２６を閉位置から開位置へ回動し、バッテリ筐体２２５から延びる中継ケーブルを副入力部に接続することができる。
【００６８】
こて部２１０は、握持部２３１と台座部２３２と加熱ロッド２３３とを含む。握持部２３１は、作業者によって握持される筒状の部位である。加熱部２１２、電力調整部２１３、選択部２１４、受信部２１５及び制御信号生成部２１８は握持部２３１又は台座部２３２内に配置されている。加熱部２１２は、加熱ロッド２３３が突出した握持部２３１の先端部の近傍に配置されている。電力調整部２１３、選択部２１４、受信部２１５及び制御信号生成部２１８は加熱部２１２よりも先端部から離れた位置（すなわち、先端部とは反対の基端部の近く）に配置されている。電力調整部２１３、選択部２１４、受信部２１５及び制御信号生成部２１８が加熱部２１２から受ける熱量が低減されるので、これらの故障や誤作動のリスクは低減される。
【００６９】
こて先２１１は、加熱ロッド２３３の先端を形成している。加熱ロッド２３３は、こて先２１１の近くまで中空である。温度検出部２１７は加熱ロッド２３３内に配置され、こて先２１１の温度を検出する。加熱部２１２は、加熱ロッド２３３を加熱する。こて先２１１は、加熱ロッド２３３内の熱伝導によって加熱される。
【００７０】
台座部２３２は、握持部２３１の基端部の近くで握持部２３１に一体的に形成された板状の部位である。台座部２３２は、バッテリ筐体２２５を支持している。作業者は、バッテリ筐体２２５を台座部２３２から分離することができる。作業者は給電部２２０とこて部２１０とを個別に点検及び修繕することができるので、半田ごて２００の点検及び修繕は容易化される。しかしながらバッテリ筐体２２５は、台座部２３２と一体化されてもよい。この場合、半田ごて２００は頑健な筐体構造を有することができる。
【００７１】
図３Ａ及び図３Ｂは、支持台４００の概略的な斜視図である。図１乃至図３Ｂを参照して、支持台４００が説明される。「前」、「後」、「左」及び「鉛直」といった方向を表す用語が、以下の説明において用いられる。これらの用語は、説明の明瞭化のみを目的として用いられる。したがって、本実施形態の原理はこれらの用語によっては何ら限定されない。
【００７２】
支持台４００は、ベース板４１０とスタンド４２０と後筐体部４３０と２つの支持ピン４４１，４４２と４つの接点４５１〜４５４とを含む。円形の凹部４１１が、ベース板４１０の上面から凹設されている。こて先２１１に付着した半田を除去するための除去具（たとえば、スポンジ）が凹部４１１に嵌め込まれる（図示せず）。したがって作業者は半田ごて２００を載置するためだけでなく、半田ごて２００の清浄にも支持台４００を利用することができる。
【００７３】
スタンド４２０は、２つの側壁４２１，４２２と後壁４２３と上筐体部４２４とを含む。側壁４２１，４２２及び後壁４２３は、凹部４１１の後方でベース板４１０から立設されている。側壁４２２は、側壁４２１の左方に配置されている。後壁４２３は、側壁４２１，４２２の後縁の間で立設されている。この結果、後方に凹没した凹空間４２５がスタンド４２０に形成されている。図２に示されるようにこて先２１１は、凹空間４２５内に収容される。すなわち側壁４２１，４２２及び後壁４２３は、こて先２１１が収容される凹空間４２５を形成する凹壁として用いられている。半田ごて２００が支持台４００に支持されている間、凹壁は作業者がこて先２１１に接触することを防ぐ。したがって作業者はこて先２１１を高温に保ったまま、半田ごて２００を支持台４００に安全に載置することができる。こて先２１１が半田ごて２００の充電の間も第２給電ラインを通じた電力供給下で高温に維持されているので、作業者は支持台４００から半田ごて２００を取り上げた直後に半田ごて２００を用いて半田を溶融することができる。したがって、作業者は半田を効率的に溶融することができる。
【００７４】
上筐体部４２４は、側壁４２１，４２２及び後壁４２３の上部に一体化されている。上筐体部４２４は、支持ピン４４１，４４２及び接点４５１〜４５４が取り付けられた前面４２６を含む。支持ピン４４１，４４２は前面４２６から前方に突出し、半田ごて２００を支持している。接点４５１〜４５４は、半田ごて２００が支持台４００に支持されている間に半田ごて２００の上述の主入力部に接続される出力接点部４５０を形成している。
【００７５】
上筐体部４２４の内部空間は、後壁４２３の後面に一体化された後筐体部４３０の内部空間に連通している。図３Ｂに示されるように後筐体部４３０の後面には、制御ステーション３００から延びる上述の中継ケーブル（図示せず）が差し込まれる差込口４３１が形成されている。差込口４３１の電気接点と接点４５１〜４５４とを結ぶ電力線は、後筐体部４３０及び上筐体部４２４の内部空間内で配線されている。したがって半田ごて２００が支持台４００に支持されている間において、外部電源ＥＰＳからの電力は制御ステーション３００、中継ケーブル、差込口４３１の電気接点、後筐体部４３０及び上筐体部４２４内で配線された電力線及び出力接点部４５０を通じて給電部２２０へ供給される。
【００７６】
図４Ａ及び図４Ｂは、半田ごて２００の概略的な斜視図である。図１乃至図３Ａ、図４Ａ及び図４Ｂを参照して、半田ごて２００が説明される。
【００７７】
バッテリ筐体２２５は、上筐体部２４１と下筐体部２４２と中間筐体部２４３とを含む。下筐体部２４２は上筐体部２４１の下方に配置され、台座部２３２に連結されている。上筐体部２４１と下筐体部２４２との間に配置された中間筐体部２４３は、上筐体部２４１及び下筐体部２４２それぞれよりも幅狭である。したがって上筐体部２４１、下筐体部２４２及び中間筐体部２４３は、２つの凹溝２４４，２４５を形成している。支持ピン４４１，４４２は、凹溝２４４，２４５に挿入されている。この結果上筐体部２４１は支持ピン４４１，４４２に引っかかり、半田ごて２００は支持台４００によって支持される。
【００７８】
バッテリ筐体２２５の上筐体部２４１は、半田ごて２００が支持台４００によって支持されている間において支持台４００の上筐体部４２４の前面４２６に対向する対向面２４６を含む。上述の主入力部２２７は、２つの充電接点２５１，２５２及び２つの給電接点２５３，２５４を含む。充電接点２５１，２５２及び給電接点２５３，２５４は、対向面２４６に取り付けられている。充電接点２５１，２５２は、第１接点部２２３を形成している。給電接点２５３，２５４は、第２接点部２２４を形成している。
【００７９】
図２に示されるように半田ごて２００が支持台４００によって支持されている間、こて先２１１は後方に突出する。こて先２１１と同様に半田ごて２００が支持台４００によって支持されている間、充電接点２５１，２５２及び給電接点２５３，２５４も後方に向く。したがって、バッテリ筐体２２５に取り付けられた充電接点２５１，２５２及び給電接点２５３，２５４は、支持台４００の接点４５１〜４５４にそれぞれ連結される。充電接点２５１，２５２及び給電接点２５３，２５４は突起として形成されている一方で、接点４５１〜４５４は楕円形状の突出領域に凹設された凹部として形成されている。充電接点２５１，２５２及び給電接点２５３，２５４は、接点４５１〜４５４に対して相補的である。したがって半田ごて２００が支持台４００に載置されると、充電接点２５１，２５２及び給電接点２５３，２５４は接点４５１〜４５４に挿入され主入力部２２７と出力接点部４５０との間の電気的接続が形成される。
【００８０】
図２に示されるように支持ピン４４１，４４２の先端は、支持ピン４４１，４４２の基端よりも高い。したがって半田ごて２００に作用する重力の分力は、充電接点２５１，２５２及び給電接点２５３，２５４を接点４５１〜４５４に押しつける方向に作用する。したがって半田ごて２００に作用する重力の分力は、主入力部２２７と出力接点部４５０との間の電気的接続を維持することに貢献する。
【００８１】
図４Ａに示されるように、主入力部２２７は磁石２５５を含む。磁石２５５は、略鉛直方向に並んだ充電接点２５１，２５２と略鉛直方向に並んだ給電接点２５３，２５４との間に配置されている。
【００８２】
図３Ａに示されるように、出力接点部４５０は磁石４５５を含む。磁石４５５は、略鉛直方向に並んだ接点４５１，４５２の組と略鉛直方向に並んだ接点４５３，４５４の組との間に配置されている。
【００８３】
半田ごて２００が支持台４００によって支持されている間、主入力部２２７の磁石２５５は出力接点部４５０の磁石４５５に磁気的に吸着される。磁石２５５の表面は充電接点２５１，２５２及び給電接点２５３，２５４の先端と略面一である一方で磁石４５５の表面は接点４５１，４５２の組及び接点４５３，４５４の組が形成されている２つの楕円形の突出領域の前面よりも後方に位置するので、磁石２５５，４５５間の吸着は接点４５１〜４５４への充電接点２５１，２５２及び給電接点２５３，２５４の挿入を妨げない。半田ごて２００に作用する重力の分力と同様に磁石２５５，４５５間の磁気的な吸引力も、主入力部２２７と出力接点部４５０との間の電気的接続を維持することに貢献する。
【００８４】
主入力部２２７は、対向面２４６に凹設された矩形状の凹部２４７内に配置されている。所定のカバー部材（図示せず）が、対向面２４６の凹部２４７を覆ってもよい。この結果、充電接点２５１，２５２及び給電接点２５３，２５４が異物と接触するリスクは低減される。
【００８５】
図４Ｂに示されるように、バッテリ筐体２２５の上筐体部２４１は半田ごて２００の基端の一部を形成する基端面２４８を含む。対向面２４６とは反対に半田ごて２００が支持台４００によって支持されている間、基端面２４８は前方に向く。
【００８６】
図２とは異なり、接点カバー２２６は図４Ｂに示されるバッテリ筐体２２５から除去されている。したがって、基端面２４８に形成された矩形状の凹部２４９が図４Ｂに示されている。主入力部２２７と同様に凹部２４９内に配置された上述の副入力部２２８は、２つの充電接点２６１，２６２と２つの給電接点２６３，２６４と磁石２６５とを含む。副入力部２２８の構造は、主入力部２２７に略等しい。したがって、主入力部２２７に関する構造的な説明は、副入力部２２８に援用される。しかしながら半田ごて２００が支持台４００によって支持されている間、主入力部２２７とは反対に基端面２４８は前方に向く。作業者は半田ごて２００を支持台４００から取り外し、制御ステーション３００から延びる上述の中継ケーブルを電力ケーブルとして副入力部２２８に接続することができる。このとき中継ケーブルの端部は、基端面２４８に形成された凹部２４９に差し込まれる。この結果外部電源ＥＰＳからの電力は制御ステーション３００を通じて、副入力部２２８に入力される。副入力部２２８に接続された中継ケーブルは加熱ロッド２３３とは逆方向に延びるので、その後の半田溶融作業を邪魔しない。
【００８７】
図５は、給電部２２０の概略的な底面図である。図１、図４Ａ乃至図５を参照し、給電部２２０が説明される。
【００８８】
給電部２２０の下筐体部２４２は、こて部２１０の台座部２３２の上面に対向している下面２７０を含む。給電部２２０は、下面２７０に配置された４つの接点２７１〜２７４を含む。接点２７１は、図４Ａ及び図４Ｂを参照して説明された充電接点２５１，２６１と電気的に接続される。接点２７２は、図４Ａ及び図４Ｂを参照して説明された充電接点２５２，２６２と電気的に接続される。充電接点２５１，２５２，２６１，２６２は、図１に示される充電ラインの始端を形成している。図１を参照して説明された蓄電部２２１は、充電ライン及び第１給電ラインによって形成された電力供給経路上に配置されている。接点２７１，２７２は、第１給電ラインの終端を形成している。
【００８９】
接点２７３は、図４Ａ及び図４Ｂを参照して説明された給電接点２５３，２６３と電気的に接続される。接点２７４は、図４Ａ及び図４Ｂを参照して説明された給電接点２５４，２６４と電気的に接続される。給電接点２５３，２５４，２６３，２６４は、図１に示される第２給電ラインの始端を形成している。接点２７３，２７４は、第２給電ラインの終端を形成している。
【００９０】
図６は、こて部２１０の概略的な斜視図である。図１、図２、図４Ａ、図５及び図６を参照して、こて部２１０が説明される。
【００９１】
こて部２１０の台座部２３２の上面２８０は上述の如く、給電部２２０の下筐体部２４２の下面２７０に対向している。こて部２１０は、上面２８０に配置された４つの接点２８１〜２８４を含む。こて部２１０の接点２８１は、給電部２２０の接点２７１に接触している。こて部２１０の接点２８２は、給電部２２０の接点２７２に接触している。こて部２１０の接点２８３は、給電部２２０の接点２７３に接触している。こて部２１０の接点２８４は、給電部２２０の接点２７４に接触している。
【００９２】
図１を参照して説明された選択部２１４は、接点２８１，２８２間の電位差を接点２８３，２８４間の電位差と比較する。接点２８１，２８２間の電位差が接点２８３，２８４間の電位差よりも大きいならば、第２給電ラインに電気的接続がないことになるため、選択部２１４は電力調整部２１３を第１給電ラインに電気的に接続する一方で電力調整部２１３と第２給電ラインとの間の電気的接続を遮断する。接点２８１，２８２間の電位差が接点２８３，２８４間の電位差よりも小さいならば、選択部２１４は電力調整部２１３を第２給電ラインに電気的に接続する一方で電力調整部２１３と第１給電ラインとの間の電気的接続を遮断する。
【００９３】
図２に示されるように半田ごて２００が支持台４００によって支持されている間、外部電源ＥＰＳからの電力は制御ステーション３００及び支持台４００を通じて主入力部２２７に入力される。この結果、外部電源ＥＰＳからの電力は蓄電部２２１に蓄えられる。この間制御ステーション３００から延びる中継ケーブル（図示せず）が支持台４００に接続されているので、副入力部２２８への電力の入力はない。半田ごて２００が支持台４００によって支持されている間、接点２８１，２８２間の電位差は接点２８３，２８４間の電位差よりも小さくなる。したがって選択部２１４は、第２給電ラインを電力調整部２１３及び加熱部２１２への電力供給経路として設定する。
【００９４】
作業者が半田ごて２００を支持台４００から取り外し制御ステーション３００から延びる中継ケーブルを副入力部２２８へ接続すると、外部電源ＥＰＳからの電力は副入力部２２８を通じて蓄電部２２１及び選択部２１４に供給される。この場合も接点２８１，２８２間の電位差は、接点２８３，２８４間の電位差よりも小さくなる。したがって選択部２１４は、第２給電ラインを電力調整部２１３及び加熱部２１２への電力供給経路として設定する。
【００９５】
外部電源ＥＰＳから半田ごて２００への電力供給がないとき、蓄電器２２１は蓄電量に応じた電圧を第１給電ラインに印加する一方で第２給電ラインの電圧は略ゼロになる。したがって接点２８１，２８２間の電位差は、接点２８３，２８４間の電位差よりも大きくなる。この場合、選択部２１４は第１給電ラインを電力調整部２１３及び加熱部２１２への電力供給経路として設定する。
【００９６】
図２に示されるように、こて部２１０は電源ボタン２９０を含む。作業者は、電源ボタン２９０を操作しこて先２１１を加熱するか否かを選択することができる。作業者が電源ボタン２９０を操作しこて先２１１の加熱を要求すると、こて部２１０は上述の如く動作する。作業者が電源ボタン２９０を操作しこて先２１１の非加熱を選択すると、給電部２２０からの電力供給を停止してもよい。この間半田ごて２００が充電されるならば、充電ラインを通じた蓄電部２２１への充電のみが行われることになる。
【００９７】
支持台４００上に載置された半田ごて２００は支持台４００を介して制御ステーション３００から電力の供給を受けることができる。このとき、支持台４００は制御ステーション３００と中継ケーブルによって接続されている。中継ケーブルに作業者が接触しないように中継ケーブルは整然と配線されることが好ましい。中継ケーブル７１０を整然と配線するために用いられる保持部材７００が図７に示されている。図７は保持部材７００の概略的な斜視図である。保持部材７００、半田ごて２００及び制御ステーション３００によって形成された半田ごてシステム１０１の概略的な背面図が図８に示されている。保持部材７００が図１、図２、図３Ｂ、図７及び図８を参照して説明される。
【００９８】
保持部材７００は全体的に直方体形状のブロックである。保持部材７００は中空である。保持部材７００は略五角柱状の中央部７２１と、中央部７２１の右方に位置する右側部分７２２と、中央部７２１の左方に位置する左側部分７３０と、を含む。中央部７２１は左右対称の形状を有している。中央部７２１は前方に尖った略三角柱状の前部７２２と、前部７２２の後方に形成された矩形柱状の後部７２３とを含む。後部７２３の上面にはバッテリ筐体２２５の上筐体部２４１の先端部位（基端面２４８とは反対側の部位）と相補的な凹部７２４が形成されている。凹部７２４には予備の給電部（図示せず）の先端部位は嵌め込まれる。予備の給電部に対して給電部２２０（図１を参照）に関する説明が援用される。予備の給電部の蓄電部へ充電するための接点部７１５が凹部７２４内に形成されている。
【００９９】
凹部７２４が形成された後部７２３と一体的に右側部分７２２が形成されている。右側部分７２２は中央部７２１から右方に延設された右方延設部７２５と、右方延設部７２５の右端に形成された右脚部７２６とを含む。右方延設部７２５は側面視において後方に開口した略Ｃ型の断面を有している。右方延設部７２５には前後方向に右方延設部７２５を貫通する略矩形状の貫通孔７２７が形成されている。
【０１００】
右方延設部７２５は中央部７２１及び右脚部７２６よりも高さ方向及び前後方向において小さな寸法を有する。右方延設部７２５の下方に空間７２８が形成されるように中央部７２１及び右脚部７２６は右方延設部２７５の左端及び右端から下方に突出している。
【０１０１】
右方延設部７２５は中央部７２１及び右脚部７２６よりも前後方向において小さな寸法を有し、且つ、右方延設部７２５の後縁は中央部７２１及び右脚部７２６の後端と面一である。したがって、右方延設部７２５の前面から中央部７２１の前部７２２及び右脚部７２６は前方に突出している。したがって、右方延設部７２５の前面、中央部７２１の前部７２２の右面及び右脚部７２６の左面は後方に凹設された凹部７２９を形成している。
【０１０２】
右方延設部７２５及び右脚部２７６を有する右側部分７２２と左右対称的な関係が得られるように左側部分７３０が形成されている。右方延設部７２５に対称的な部位は以下の説明において「左方延設部７３１」と称される。左方延設部７３１には右方延設部７２５の貫通孔７２７と対称的な貫通孔７３２が形成されている。貫通孔７３２は貫通孔７２７と形状及び大きさにおいて等しい。左方延設部７３１の左側に配置された部位は以下の説明において「左脚部７３３」と称される。左脚部７３３は右脚部２７６と対称的に形成されている。したがって、左脚部７３３の右面、左方延設部７３１及び中央部７２１の前部７２２の左面は後方に凹設された凹部７３４を形成している。加えて、左方延設部７３１の下方に空間７３５が形成されている。空間７３５及び凹部７３４は形状及び大きさにおいて空間７２８及び凹部７２９と略等しい。
【０１０３】
空間７３５，７２８は中継ケーブル７１０及び充電ケーブル７１６，７１７を制御ステーション３００（及び支持台４００）に接続するために利用される。中継ケーブル７１０の両端部を形成している２つのコネクタ７１１，７１２及び２つの充電ケーブル７１６，７１７のコネクタ７１３，７１４が空間７２８，７３５に配置されている。すなわち、中継ケーブル７１０及び充電ケーブル７１６，７１７のコネクタ７１１〜７１４は保持部材７００から露出している。一方、中継ケーブル７１０のコネクタ７１１，７１２の間で延設されたケーブル線の大部分は保持部材７００内で配線されている。したがって中継ケーブル７１０は保持部材７００によって保持されている。中継ケーブル７１０のケーブル線と同様に、２つの充電ケーブル７１６，７１７のケーブル線も保持部材７００内で配線され、保持部材７００によって保持されている。２つの充電ケーブル７１６，７１７それぞれのケーブル線の一端部は保持部材７００の上面に形成された凹部７２４内の接点部７１５に接続されている。２つの充電ケーブル７１６，７１７それぞれのケーブル線の他端部はコネクタ７１３，７１４に接続されている。
【０１０４】
充電ケーブル７１６，７１７は接点部７１５への電力の伝達に用いられる一方で、中継ケーブル７１０は制御ステーション３００及び支持台４００との電気的な接続に利用される。制御ステーション３００及び支持台４００は図８に示されるように保持部材７００によって一体的に保持される。
【０１０５】
保持部材７００は凹部７２９，７３４の周囲において制御ステーション３００及び支持台４００の後部と嵌合可能な形状を有している。すなわち制御ステーション３００及び支持台４００の後部は中央部７２１、右脚部７２６及び左脚部７３３と嵌合する。制御ステーション３００及び支持台４００の後部が保持部材７００の凹部７２９，７３４に嵌め込まれると、保持部材７００は制御ステーション３００及び支持台４００を一体的に保持することができる。制御ステーション３００の後部は図８に示されるレイアウトの下では右側の凹部７３４に嵌め込まれている一方で支持台４００の後部は右側の凹部７２９に嵌め込まれている。凹部７２９，７３４は左右対称に形成されているので、これらの凹部７２９，７３４は形状及び大きさにおいて等しい。したがって、左側の凹部７２９に制御ステーション３００の後部が嵌め込まれている一方で支持台４００の後部は右側の凹部７３４に嵌め込まれてもよい。
【０１０６】
制御ステーション３００が外部電源ＥＰＳ（図１を参照）から電力供給を受ける受電部３６０が制御ステーション３００の背面に形成されている。外部電源ＥＰＳから延設されたメインケーブル（図示せず）は受電部３６０に接続される。受電部３６０は、左側の貫通孔７３２内で露出している。したがって、貫通孔７３２を通じてメインケーブルは受電部３６０に接続される。
【０１０７】
受電部３６０の下方には制御ステーション３００の後部に形成された２つの差込口３６１，３６２が形成されている。差込口３６１は差込口３６２の上側に形成されている。差込口３６１，３６２は支持台４００の後部に形成された差込口４３１と形状、大きさ及び構造において等しく、４つの電気的接点と磁石とを備える。差込口３６１は高さ位置においても支持台４００の差込口４３１に略一致している。差込口３６１，３６２は貫通孔７３２の下方に形成された空間７３５内に露出している。空間７３５を利用して作業者は中継ケーブル７１０のコネクタ７１２を上側の差込口３６１に接続し、充電ケーブル７１７のコネクタ７１４を下側の差込口３６２に接続することができる。このとき凹部７２４内の接点部７１５に予備の給電部が接続されているならば電力が制御ステーション３００から予備の給電部の蓄電部に供給される。
【０１０８】
制御ステーション３００の左方に支持台４００が配置されている。支持台４００の差込口４３１が右側の空間７２８に露出している。差込口４３１には中継ケーブル７１０のコネクタ７１１が差し込まれる。中継ケーブル７１０を通じて電力が制御ステーション３００から支持台４００に供給される。その後電力は支持台４００の内部配線を通じて差込口４３１から出力接点部４５０（図３Ｂを参照）に伝えられる。この結果、出力接点部４５０に電気的に接続された半田ごて２００に電力が供給される。
【０１０９】
半田ごて２００を支持する支持台４００は制御ステーション３００の図８において右側に描かれている。しかしながら、制御ステーション３００が支持台４００の右側に配置されてもよい。この場合、制御ステーション３００の受電部３６０は右側の貫通孔７２７に露出する。このとき、貫通孔７２７を通じて制御ステーション３００は外部電源ＥＰＳに接続される。制御ステーション３００の差込口３６１，３６２は右側の空間７２８に現れる。差込口３６１には中継ケーブル７１０のコネクタ７１１が取り付けられる一方で、差込口３６２には充電ケーブル７１６のコネクタ７１３が取り付けられる。
【０１１０】
充電ケーブル７１６，７１７のうち一方及び中継ケーブル７１０は制御ステーション３００が左側に配置され且つ支持台４００が右側に配置されるレイアウトにおいても予備の給電部及び支持台４００への電力供給に利用される。同様に制御ステーション３００が右側に配置され且つ支持台４００が左側に配置されるレイアウト（すなわち、図８に示されるレイアウト）においても予備の給電部及び支持台４００は制御ステーション３００から電力供給を受けることができる。したがって、これらのレイアウトのうち一方が作業者の作業のしやすさを考慮して選択されてもよい。
【０１１１】
図７及び図８を参照して説明された保持部材７００内において中継ケーブル７１０及び充電ケーブル７１６，７１７それぞれのケーブル線が配置されている。しかしながら、中継ケーブル７１０及び充電ケーブル７１６，７１７のケーブル線は保持部材の背面に沿って配線されてもよい。この場合、保持部材は保持部材の背面に沿って配線されたこれらのケーブル線を保持するように形成されたフック状の部位を有することが好ましい。ケーブル線がフック状の部位によって保持されるので、ケーブル線は保持部材の周囲で散らからない。
【０１１２】
保持部材７００は左右に並べられた制御ステーション３００及び支持台４００を一体的に保持するように形成されている。しかしながら、保持部材は前後方向（あるいは他の方向）に並べられた制御ステーション３００及び支持台４００を一体的に保持するように形成されてもよい。
【０１１３】
保持部材７００によって維持された制御ステーション３００及び支持台４００のレイアウトは変更可能である。しかしながら、制御ステーション３００及び支持台４００が単一のレイアウトの下でのみ保持部材によって一体的に保持されるように保持部材が形成されてもよい。
【０１１４】
保持部材７００に対して中継ケーブル７１０及び充電ケーブル７１６，７１７のコネクタ７１１〜７１４は別異の部材として形成され、保持部材７００によって形成された空間７２８，７３５内で自由に動くことができる。しかしながら、コネクタは保持部材と一体化されてもよい。コネクタと一体化された保持部材７００Ａが図７及び図９を参照して説明される。図９は保持部材７００Ａの概略的な斜視図である。
【０１１５】
保持部材７００Ａは図７を参照して説明された保持部材７００と同様に中央部７２１、右脚部７２６及び左脚部７３３を備える。保持部材７００Ａは中央部７２１及び右脚部７２６の間に形成された右方延設部７２５Ａと、中央部７２１及び左脚部７３３の間に形成された左方延設部７３１Ａとを更に含む。右方延設部７２５Ａ、中央部７２１及び右脚部７２６は図７を参照して説明された凹部７２９を形成している。図７を参照して説明された凹部７３４が左方延設部７３１Ａ、中央部７２１及び左脚部７３３によって形成されている。これらの凹部７３４，７２９に制御ステーション３００及び支持台４００が嵌め込まれ、保持部材７００Ａは制御ステーション３００及び支持台４００を一体的に保持することができる。
【０１１６】
保持部材７００Ａの右方延設部７２５Ａ及び左方延設部７３１Ａの上部には貫通孔７２７，７３２がそれぞれ形成されている。貫通孔７２７，７３２が形成された右方延設部７２５Ａ及び左方延設部７３１Ａの上部の構造は図７を参照して説明された右方延設部７２５及び左方延設部７３１とそれぞれ共通している。
【０１１７】
右方延設部７２５Ａ及び左方延設部７３１Ａの下部は、図７を参照して説明された右方延設部７２５及び左方延設部７３１の下方の空間７２８，７３５に相当する領域に形成されている。したがって、右方延設部７２５Ａ及び左方延設部７３１Ａは中央部７２１、右脚部７２６及び左脚部７３３と同じ高さを有している。
【０１１８】
右方延設部７２５Ａ及び左方延設部７３１Ａは貫通孔７２７，７３２の下方において広い前面を有している。右方延設部７２５Ａの前面には図７を参照して説明された中継ケーブル７１０のコネクタ７１１と機能的に共通するコネクタ７１１Ａが取り付けられている。コネクタ７１１Ａの下方には図７を参照して説明された充電ケーブル７１６のコネクタ７１３と機能的に共通するコネクタ７１３Ａが取り付けられている。これらのコネクタ７１１Ａ，７１３Ａは右方延設部７２５Ａの前面から前方に突出している。コネクタ７１１Ａは支持台４００及び制御ステーション３００の差込口４３１，３６１の電気的接点に電気的に接続されるように形成されている。すなわち、コネクタ７１１Ａは、差込口４３１，３６１と等しい高さ位置に形成され、差込口４３１，３６１と相補的な形状及び大きさを有している。コネクタ７１１Ａの下方のコネクタ７１３Ａは、制御ステーション３００の差込口３６２の電気的接点に電気的に接続されるように形成されている。すなわち、コネクタ７１３Ａは、差込口３６２と等しい高さ位置に形成され、差込口３６２と相補的な形状及び大きさを有している。
【０１１９】
コネクタ７１１Ａ，７１３Ａと左右対称な位置で左方延設部７３１Ａの前面に２つのコネクタ７１２Ａ，７１４Ａが取り付けられている。保持部材７００Ａの左側の凹部７３４に対するコネクタ７１２Ａの相対的な位置は保持部材７００Ａの右側の凹部７２９に対するコネクタ７１１Ａの相対的な位置に一致している。相対的な位置関係だけでなく、コネクタ７１２Ａは構造、形状及び大きさにおいてもコネクタ７１１Ａと一致している。したがって、コネクタ７１２Ａは支持台４００及び制御ステーション３００の差込口４３１，３６１の電気的接点に電気的に接続されるように形成されている。コネクタ７１２Ａの下方のコネクタ７１４Ａと保持部材７００Ａの左側の凹部７３４との相対的な位置関係は、コネクタ７１３Ａと保持部材７００Ａの右側の凹部７２９との相対的な位置関係に等しい。コネクタ７１４Ａは構造、形状及び大きさにおいてもコネクタ７１３Ａと一致している。したがって、コネクタ７１４Ａは制御ステーション３００の差込口３６２の電気的接点に電気的に接続されるように形成されている。
【０１２０】
コネクタ７１１Ａ〜７１４Ａ及び接点部７１５が保持部材７００Ａの外表面上に現れる一方で、保持部材７００Ａ内では３本のケーブル線（図示せず）が配線されている。３本のケーブル線のうち１つはコネクタ７１３Ａと接点部７１５とを電気的に接続するように形成されている。加えてコネクタ７１３Ａ及び接点部７１５の電気的な接続経路とは独立して、複数のケーブル線のうち他のもう１つはコネクタ７１４Ａと接点部７１５とを電気的に接続するように形成されている。残りのケーブル線はコネクタ７１３Ａ，７１４Ａと接点部７１５との間の電気的な接続経路とは独立して、コネクタ７１１Ａ，７１２Ａを電気的に接続するように形成されている。
【０１２１】
コネクタ７１２Ａ，７１４Ａが左側の凹部７３４に嵌め込まれた制御ステーション３００の差込口３６１，３６２に嵌め込まれているとき、作業者は支持台４００を右側の凹部７２９に嵌め込みコネクタ７１１Ａを支持台４００の差込口４３１に差し込むことができる。この結果制御ステーション３００から出力された電力はコネクタ７１２Ａ、ケーブル線及びコネクタ７１１Ａを通じて支持台４００の差込口４３１に入力される。差込口４３１は支持台４００内で配線された電力線を通じて出力接点部４５０に電気的に接続されているので、制御ステーション３００から出力された電力は最終的に支持台４００によって支持され出力接点部４５０に電気的に接続された半田ごて２００に供給される。このとき予備の給電部が中央部７２１の凹部７２４に嵌め込まれているならば、制御ステーション３００の差込口３６２に差し込まれたコネクタ７１４Ａ、保持部材７００Ａ内のケーブル線及び接点部７１５を通じて、電力が制御ステーション３００から予備の給電部へ供給される。
【０１２２】
制御ステーション３００が右側の凹部７２９に嵌め込まれ且つ支持台４００が左側の凹部７３４に嵌め込まれるように制御ステーション３００及び支持台４００のレイアウトが変更されてもよい。この場合、制御ステーション３００の差込口３６１，３６２にコネクタ７１１Ａ，７１３Ａに差し込まれる一方で支持台４００の差込口４３１にコネクタ７１２Ａが差し込まれる。この結果電力は制御ステーション３００から支持台４００によって支持された半田ごて２００及び中央部７２１の凹部７２４に嵌め込まれた予備の給電部に供給される。
【０１２３】
電力をコネクタ７１１Ａ，７１２Ａの間、コネクタ７１３Ａと接点部７１５との間及びコネクタ７１４Ａと接点部７１５との間で伝達する電力伝達部としてケーブル線が用いられている。ケーブル線に代えて基板上に形成された電気回路が用いられてもよい。
【０１２４】
＜第２実施形態＞
半田ごてシステムは、コードレス半田ごてを充電するために専ら用いられる充電ステーションを有してもよい。第１実施形態に説明されたように制御ステーションは目標温度を変更するための機能を有する一方で、充電ステーションは目標温度の変更機能を有さない。この場合権限を付された管理者のみが制御ステーションにアクセスできる一方で、権限を付されていない作業者は充電ステーションにのみアクセスすることができるように、半田ごてシステムは利用されてもよい。権限を付されていない作業者は目標温度の設定を勝手に変更することはできないので、半田を溶融する作業は作業者間で均一化される。第２実施形態において、充電ステーションを有する半田ごてシステムが説明される。
【０１２５】
図１０は、第２実施形態の半田ごてシステム１００Ａの概略的な斜視図である。図１及び図１０を参照して、半田ごてシステム１００Ａが説明される。
【０１２６】
第１実施形態と同様に半田ごてシステム１００Ａは、半田ごて２００と制御ステーション３００と支持台４００とを備える。第１実施形態の説明は、これらの要素に援用される。
【０１２７】
第１実施形態に関連して説明されたように制御ステーション３００は目標温度を設定する機能と、目標温度を半田ごて２００に通知する機能と、外部電源ＥＰＳからの電力を直流化する機能とを有する。しかしながら本実施形態に関して制御ステーション３００は、外部電源ＥＰＳからの電力を直流化する機能を有さなくてもよい。すなわち制御ステーション３００は、目標温度の設定及び目標温度の通知に専ら利用されてもよい。この場合、制御ステーション３００は電源部３４０を有さなくてもよい。
【０１２８】
入力インターフェース３１０は、所定のパスワードを受け付けてもよい。入力インターフェース３１０は、入力されたパスワードの認証処理を実行してもよい。入力されたパスワードが正しいならば（たとえば、入力されたパスワードが、予め設定された認証パスワードに一致するならば）、入力インターフェース３１０はその後目標温度の入力を許容してもよい。この場合認証パスワードを知る管理者のみが目標温度を変更することができる一方で、認証パスワードを知らない作業者は目標温度を勝手に変更することはできない。制御ステーション３００が管理者のみが入室することができる管理室に配置されているならば、上述のパスワード処理機能は入力インターフェース３１０に必要とされない。この場合作業者は管理者の監視下で半田ごて２００を制御ステーション３００に近づけ、半田ごて２００内の目標温度の設定をＲＦＩＤ通信下で変更することができる。本実施形態の原理は、目標温度の設定変更を特定の者に制限するための特定の技術に限定されない。
【０１２９】
半田ごてシステム１００Ａは、充電ステーション６００を更に備える。充電ステーション６００は図１を参照して説明された電源部３４０を内蔵する一方で、制御ステーション３００とは異なり入力インターフェース３１０、目標信号生成部３２０及び送信部３３０を有さない。充電ステーション６００は支持台４００とともに、半田を溶融する作業が行われる作業室に置かれる。作業室内で作業をする作業者は電力ケーブル（図示せず）を用いて、充電ステーション６００を作業室内の外部電源ＥＰＳに接続する。外部電源ＥＰＳからの電力は充電ステーション６００によって直流化される。作業者は、充電ステーション６００から延びる中継ケーブル（図示せず）を支持台４００に接続する。直流化された電力は中継ケーブルを通じて、支持台４００及び半田ごて２００へ順次供給される。この結果直流化された電力の一部は充電ラインを通じて蓄電部２２１に供給され、蓄電部２２１が充電される。この間直流化された電力の他のもう一部は、第２給電ラインを通じてこて部２１０に供給される。
【０１３０】
本実施形態に関して、電源部３４０は充電ステーション６００に内蔵されている。しかしながら、電源部３４０は支持台４００に内蔵されてもよい。この結果、支持台４００は充電ステーションとして機能することができる。
【０１３１】
上述の実施形態に関して、外部電源ＥＰＳから供給される電力は交流である。しかしながら、外部電源ＥＰＳとして直流電源が用いられてもよい。この場合、直流電源からの電力は支持台４００又は半田ごて２００に直接的に入力されてもよい。直流電源が用いられるならば、コンバータ３４１は必要とされない。
【０１３２】
上述の実施形態に関して、選択部２１４はこて部２１０の一部として設計されている。しかしながら、選択部２１４は給電部２２０の一部として設計されてもよい。
【０１３３】
上述の実施形態に関して、目標通知信号は無線信号として送信部３３０から受信部２１５へ伝達されている。しかしながら、目標通知信号は無線信号でなくてもよい。たとえば、送信部３３０は上述の中継ケーブルに含まれる信号伝達用の信号線に電気的に接続されるように制御ステーション３００のステーション筐体３５０に形成されたコネクタ部であってもよい。この場合、目標通知信号を伝達するための信号伝達経路は支持台４００内にも形成される。支持台４００は信号伝達経路の終端としてコネクタ部を有することができる。たとえば、支持台４００のコネクタ部は、上部筐体４２４の前面４２６に配置されてもよい。この場合受信部２１５は、半田ごて２００が支持台４００に置かれたときに上部筐体４２４の前面４２６に配置されたコネクタ部と接続されるコネクタ部であってもよい。この結果半田ごて２００が充電されている間に、目標通知信号は制御ステーション３００から半田ごて２００へ伝達される。
【０１３４】
上述の実施形態に関して、副入力部２２８は主入力部２２７とは反対方向に向いている。しかしながら、副入力部２２８は他の位置に配置されてもよい。設計者は、中継ケーブルが加熱ロッド２３３に干渉しにくくなるような様々な位置に副入力部２２８を配置することができる。したがって、上述の実施形態の原理は副入力部２２８の特定の位置に限定されない。
【産業上の利用可能性】
【０１３５】
上述の実施形態の原理は、半田溶融作業が行われる様々な作業現場に好適に利用される。
【符号の説明】
【０１３６】
１００，１００Ａ，１０１・・・・・・・・・・・・・半田ごてシステム
２００・・・・・・・・・・・・・・・・・・・・・・半田ごて（コードレス半田ごて）
２１０・・・・・・・・・・・・・・・・・・・・・・こて部
２１１・・・・・・・・・・・・・・・・・・・・・・こて先
２１２・・・・・・・・・・・・・・・・・・・・・・加熱部
２１４・・・・・・・・・・・・・・・・・・・・・・選択部
２１５・・・・・・・・・・・・・・・・・・・・・・受信部
２１６・・・・・・・・・・・・・・・・・・・・・・加熱制御部
２２０・・・・・・・・・・・・・・・・・・・・・・給電部
２２１・・・・・・・・・・・・・・・・・・・・・・蓄電部
２２２・・・・・・・・・・・・・・・・・・・・・・電力入力部
２２３・・・・・・・・・・・・・・・・・・・・・・第１接点部
２２４・・・・・・・・・・・・・・・・・・・・・・第２接点部
２２７・・・・・・・・・・・・・・・・・・・・・・主入力部
２２８・・・・・・・・・・・・・・・・・・・・・・副入力部
２５１，２５２，２６１，２６２・・・・・・・・・・充電接点
２５３，２５４，２６３，２６４・・・・・・・・・・給電接点
３００・・・・・・・・・・・・・・・・・・・・・・制御ステーション
３１０・・・・・・・・・・・・・・・・・・・・・・入力インターフェース
３３０・・・・・・・・・・・・・・・・・・・・・・送信部
４００・・・・・・・・・・・・・・・・・・・・・・支持台
４２０・・・・・・・・・・・・・・・・・・・・・・スタンド
４２１，４２２・・・・・・・・・・・・・・・・・・側壁（凹壁）
４２３・・・・・・・・・・・・・・・・・・・・・・後壁（凹壁）
４２５・・・・・・・・・・・・・・・・・・・・・・凹空間
４５０・・・・・・・・・・・・・・・・・・・・・・出力接点部
５００・・・・・・・・・・・・・・・・・・・・・・半田ごてセット
６００・・・・・・・・・・・・・・・・・・・・・・充電ステーション
７００，７００Ａ・・・・・・・・・・・・・・・・・保持部材
７１０・・・・・・・・・・・・・・・・・・・・・・中継ケーブル
７１１，７１１Ａ，７１２，７１２Ａ・・・・・・・・コネクタ
７２９，７３４・・・・・・・・・・・・・・・・・・凹部
ＥＰＳ・・・・・・・・・・・・・・・・・・・・・・外部電源
【図１】
2019063866.tif 000003
【図２】
2019063866.tif 000004
【図３Ａ】
2019063866.tif 000005
【図３Ｂ】
2019063866.tif 000006
【図４Ａ】
2019063866.tif 000007
【図４Ｂ】
2019063866.tif 000008
【図５】
2019063866.tif 000009
【図６】
2019063866.tif 000010
【図７】
2019063866.tif 000011
【図８】
2019063866.tif 000012
【図９】
2019063866.tif 000013
【図１０】
2019063866.tif 000014